(57)【要約】【課題】  全体を連結することなく、分割状態としておき、簡易に運搬することができ、しかも分割状態で更に折り畳み可能であるので、店頭での展示や使用時での収納が簡易であり、使用時には両側端部を重ね合わせることによりあたかも連結状態と同様にして簡易に熱の遮断をすることができる分割浴槽蓋を提供する。【解決手段】  浴槽蓋を２枚以上に分割した分割浴槽蓋において、個々の分割浴槽蓋を 2枚の硬質プラスチック製中空状部材１０をそれぞれ軟質プラスチック製連結部材２０にて連結して折り畳み可能に形成するとともに、前記２枚の硬質プラスチック製中空状部材１０の連結しない側の両側端部には軟質の重ね合わせ可能な突出部３０を形成した。【選択図】  図１
2006034685.tif 000002
【特許請求の範囲】
【請求項１】
浴槽蓋を２枚以上に分割した分割浴槽蓋において、個々の分割浴槽蓋を２枚の硬質プラスチック製中空状部材をそれぞれ軟質プラスチック製連結部材にて連結して折り畳み可能に形成するとともに、前記２枚の硬質プラスチック製中空状部材の連結しない側の両側端部には軟質の重ね合わせ可能な突出部を形成したことを特徴とする分割浴槽蓋。
【発明の詳細な説明】
【技術分野】
【０００１】
本発明は、浴槽内の湯の保温をするために使用する浴槽蓋に関するものである。
【背景技術】
【０００２】
浴槽内の湯の保温をするために、一般に浴槽上端面に密接するように下面が平面状をなした浴槽蓋が使用されているが、この蓋が一体的に形成されている場合には、重くて取扱いが困難なところから、複数枚に分割した浴槽蓋が広く使用されている。
【０００３】
この場合には、浴槽蓋が分割された状態のままであるときには、使用にさいして浴槽上端面に密接するように配置してもぴったりと密接しないために放熱が多くなるところから、特許文献１などに記載されているように、浴槽蓋を軟質プラスチック製連結部材にて連結して放熱を抑制する配慮がなされている。しかも、このように軟質プラスチック製連結部材で連結することにより、折り畳んだり、巻き込み可能とすることができるところから、使用にさいしての取扱いの便利さについての配慮もなされている。
【特許文献１】特開２００３−２９９５８６号公報
【０００４】
しかしながら、連結部材にて連結した浴槽蓋を折り畳んだり、巻き込んだ状態としても、全体としては重量が重くて、運搬が面倒であり、しかも店頭での展示スペースを要したり、使用時での収納が面倒であるなどの欠点があった。
【発明の開示】
【発明が解決しようとする課題】
【０００５】
本発明は、上記のような従来の欠点を改善して、全体を連結することなく、分割状態としておき、簡易に運搬することができ、しかも分割状態で更に折り畳み可能であるので、店頭での展示や使用時での収納が簡易であり、使用時には両側端部を重ね合わせることによりあたかも連結状態と同様にして簡易に熱の遮断をすることができる分割浴槽蓋を提供することを目的とするものである。
【課題を解決するための手段】
【０００６】
本発明は、かかる目的を達成するものであって、請求項１記載の発明は、浴槽蓋を２枚以上に分割した分割浴槽蓋において、個々の分割浴槽蓋を 2枚の硬質プラスチック製中空状部材をそれぞれ軟質プラスチック製連結部材にて連結して折り畳み可能に形成するとともに、硬質プラスチック製中空状部材の両側端部に軟質の重ね合わせ可能な突出部を形成したことを特徴とする分割浴槽蓋である。
【発明の効果】
【０００７】
本発明の分割浴槽蓋は、全体を連結することなく、分割状態のままとしておくので、簡易に運搬することができ、しかも分割状態で更に折り畳み可能であるので、店頭での展示や使用時での収納が非常に簡易であり、使用時には両側端部の突出部を重ね合わせることによりあたかも連結状態と同様にして簡易に熱の遮断をすることができるなどの実用上における優れた作用効果を奏することができる。
【発明を実施するための最良の形態】
【０００８】
以下、本発明を図示の実施例に従って詳細に説明する。
【０００９】
図１〜図３において、１は本発明の分割浴槽蓋であり、該分割浴槽蓋１は、図２，図４に示すように、長方形状の２枚の硬質プラスチック製中空状部材１０が軟質プラスチック製連結部材２０にて連結されていて、硬質プラスチック製中空状部材１０の連結されていない側の両側端には図３に示すように軟質の重ね合わせ可能な突出部３０が装着されて形成されてなるものである。
【００１０】
硬質プラスチック製中空状部材１０は、ＡＢＳ樹脂、ポリ塩化ビニルなどの硬質プラスチックで内部に中空部１１を有するように成形されたものである。このように、中空状に成形されているため、見掛け上の厚みを大きくするとともに、保温効果が優れており、さらにこの形状を補強するために補強桟１２が少なくとも上下方向に設けられていることが望ましい。硬質プラスチック製中空状板部材１０は、長手方向の任意の個所における断面が同一形状をなしており、長尺状に押出成形され、所望の長さで切断されて、切断端部にはキャップ１３が接着、融着等により固着されている。キャップ１３は、例えば図５〜７に示すような形状をしており、その奥行き方向における手前側下端部には手が差し込める切欠部１４が形成されていることが望ましく、この場合には分割浴槽蓋の移動操作などが容易となる。
【００１１】
軟質プラスチック製連結部材２０は、軟質のポリウレタン、ポリ塩化ビニル系、スチレン系などのエラストマーなどの軟質合成樹脂で形成されている。硬質プラスチック製中空状部材１０と軟質プラスチック製連結部材２０との連結手段は、各種の手段を採用することが可能であり、硬質プラスチックと軟質プラスチックとの共押出成形により一体的に連結することも可能であり、あるいは硬質プラスチック製中空状板材１０と軟質プラスチック製連結部材２０とをそれぞれ別個に成形して接着、融着、嵌合、連結具などの各種の手段により連結することも可能である。
【００１２】
突出部３０は、軟質素材で形成されていて、図４に示すように、２枚の硬質プラスチック製中空状部材の連結しない側の両側端部に形成されており、使用時には突出部３０は図３に示すように重ね合わせることによりあたかも連結状態と同様にして簡易に熱の遮断をすることができる。このようにして、突出部３０を重ね合わせることによって、複数の分割浴槽蓋１を図２に示すように連接することが可能である。
【図面の簡単な説明】
【００１３】
【図１】本発明の分割浴槽蓋の一例を示す斜面図である。
【図２】図１の分割浴槽蓋の使用状態の一例を示す平面図である。
【図３】図２の分割浴槽蓋の突出部の重ね合わせの状態の一例を示す要部拡大図である。
【図４】本発明の分割浴槽蓋の本体の一例を示す正面図である。
【図５】本発明の分割浴槽蓋に使用するキャップの一例を示す正面図である。
【図６】図５のキャップの底面図である。
【図７】図５のキャップの背面図である。
【符号の説明】
【００１４】
１：分割浴槽蓋
１０：硬質プラスチック製中空状部材
１１：中空部
１２：補強桟
１３：キャップ
１４：切欠部
２０：軟質プラスチック製連結部材
３０：突出部
【図１】
2006034685.tif 000003
【図２】
2006034685.tif 000004
【図３】
2006034685.tif 000005
【図４】
2006034685.tif 000006
【図５】
2006034685.tif 000007
【図６】
2006034685.tif 000008
【図７】
2006034685.tif 000009